(57)【特許請求の範囲】
【請求項１】
キャップを螺着する注出口が設けられた軟包装袋と、軟包装袋をその注出口が上部から突出する状態で収納する厚紙製の外箱と、外箱から突出した注出口の首部分に嵌合するシート状のストッパーとからなり、外箱にはその上辺に相対する内蓋パネルと外蓋パネルが設けられており、軟包装袋の注出口にはそれらの間が首部分となる水平な一対のフランジが設けられ、首部分には平行面が形成されており、内蓋パネルと外蓋パネルにはそれらの中央に注出口のフランジより大きな開口がそれぞれ形成されており、ストッパーにはその首部分の平行面に対応する幅の切欠部が設けられており、注出口のフランジが開口を通るようにして内蓋パネルを折り曲げて蓋をしてから、ストッパーをその切欠部が首部分の平行面に嵌まるようにして注出口における一対のフランジの間に挿入し、注出口のフランジが開口を通るようにして外蓋パネルを折り曲げて蓋をすることにより、注出口が外箱に対してストッパーごと動かないようにセットされることで、ストッパーは外箱に対して注出口を回動不能な状態で固定するように注出口の首部分に嵌合していることを特徴とする注出口付き液体容器。
【請求項２】
外箱の側面に中が見えるスリットが設けられていることを特徴とする請求項１に記載の注出口付き液体容器。
【発明の詳細な説明】
【技術分野】
【０００１】
本発明は、液体を収納する容器の技術分野に係り、詳しくは、軟包装袋を用いながらも自立性を持たせた注出口付き液体容器に関するものである。
【背景技術】
【０００２】
従来より、飲料、調味料、洗剤などの液体を販売する形態としては、ガラス製又は硬質プラスチック製のビン類や板紙製のカートン類などを用い、これに液体を入れたものが一般的に利用されている。ところが、これらの容器は廃棄処分が面倒であり、しかも環境問題を引き起こす原因ともなることから、最近ではプラスチック製フィルムやこれに紙やアルミ箔などを積層した軟包材を使用し、これを三方シール袋、四方シール袋、スタンドパック等に製袋したいわゆる軟包装袋が広く用いられるようになってきている。そして、収納した液体の取出しを容易とするためにキャップ付きの注出口を取り付けた軟包装袋も利用されている。
【特許文献１】特開平１０−７２０４５号公報
【特許文献２】特開２０００−１９１０５２号公報
【特許文献３】特開２００４−６７１８４号公報
【発明の開示】
【発明が解決しようとする課題】
【０００３】
従来の技術で説明した軟包装袋は、取扱い等が簡便でしかも環境に優しいという利点があるものの、それ自体では自立性がないという欠点がある。したがって、キャップ付きの注出口がないものは開封後に残った内容液を他の容器に移し替える必要があり、キャップ付きの注出口があるものでも寝かせると場所をとってしまう。例外的にスタンドパックは自立性はあるものの、これも内容液が少なくなってくると自立性がなくなる。したがって、軟包装袋は、たとえキャップ付きのものであっても、醤油やドレッシングなどの食卓上で小出しで使うような液体を入れる用途には使いにくいという問題点がある。
【０００４】
本発明は、このような問題点に鑑みてなされたものであり、その目的とするところは、軟包装袋を用いながらも、自立性があり、しかも環境に優しい利点を失わないようにした注出口付き液体容器を提供することにある。
【課題を解決するための手段】
【０００５】
請求項１に記載の発明である注出口付き液体容器は、キャップを螺着する注出口が設けられた軟包装袋と、軟包装袋をその注出口が上部から突出する状態で収納する厚紙製の外箱と、外箱から突出した注出口の首部分に嵌合するシート状のストッパーとからなり、外箱にはその上辺に相対する内蓋パネルと外蓋パネルが設けられており、軟包装袋の注出口にはそれらの間が首部分となる水平な一対のフランジが設けられ、首部分には平行面が形成されており、内蓋パネルと外蓋パネルにはそれらの中央に注出口のフランジより大きな開口がそれぞれ形成されており、ストッパーにはその首部分の平行面に対応する幅の切欠部が設けられており、注出口のフランジが開口を通るようにして内蓋パネルを折り曲げて蓋をしてから、ストッパーをその切欠部が首部分の平行面に嵌まるようにして注出口における一対のフランジの間に挿入し、注出口のフランジが開口を通るようにして外蓋パネルを折り曲げて蓋をすることにより、注出口が外箱に対してストッパーごと動かないようにセットされることで、ストッパーは外箱に対して注出口を回動不能な状態で固定するように注出口の首部分に嵌合していることを特徴としている。
【０００７】
請求項２に記載の発明である注出口付き液体容器は、請求項１に記載の注出口付き液体容器において、外箱の側面に中が見えるスリットが設けられていることを特徴としている。
【発明の効果】
【０００８】
請求項１に記載の発明である注出口付き液体容器は、軟包装袋が外箱により保持されているので、自立性を有したものとなっており、食卓の上などに置いて使用する際にスペースを取らないようにすることができる。また、注出口が外箱から突出して回動不能な状態で固定されているので、キャップを回した時に中の軟包装袋が同時に回転せず、キャップを確実に開閉することができる。しかも、廃棄時には軟包装袋と外箱とを簡単に分離することができ、外箱を取り除けば一般の軟包装袋と同様に処分することができるので、プラスチック製のボトルなどに比べると環境に優しいという効果がある。また、外箱に対して注出口がストッパーごと動かないようにセットしたことにより、外箱の上部が別部材のストッパーにより補強されて座屈強度が高まる。したがって、注出口に対してキャップの開閉時や容器の取扱い時に外力が加わった時の耐力が向上する。
【００１０】
請求項２に記載の発明である注出口付き液体容器は、請求項１に記載の注出口付き液体容器が奏する効果に加え、外箱の側面に中が見える縦方向のスリットを設けたことにより、軟包装袋の中に入っている液体の残量を確認することができる。
【発明を実施するための最良の形態】
【００１１】
次に、本発明の実施の形態について図面を参照しながら詳細に説明する。
【００１２】
図１は本発明に係る注出口付き液体容器の一例を示す斜視図、図２は図１に示す注出口付き液体容器の構成部材を別々に示す斜視図である。
【００１３】
図２に示すように、図１の注出口付き液体容器Ａは、キャップ１１を螺着する注出口が設けられた軟包装袋１０と、軟包装袋１０をその注出口が上部から突出する状態で収納する厚紙製の外箱２０と、外箱２０から突出した注出口の首部分に嵌合するシート状のストッパー４０とからなる。別部材であるストッパー４０は、図３により後述するように、外箱２０に対して注出口１３を回動不能な状態で固定するように注出口１３の首部分１７に嵌合するようになっている。
【００１４】
軟包装袋１０は、図３にその一部分を示すように、ガゼットタイプ或いはスタンディングパウチタイプの包装袋本体１２の上部に注出口１３を有し、その注出口１３にキャップ１１が螺着されたものである。注出口１３は包装袋本体１２の上部に挟持状態で取り付けられる外形が船形の取付板１４を有しており、この取付板１４の部分が包装袋本体１２のシール部１２ａの内面に融着されるようになっている。そして、取付板１４の上方には包装袋本体１２の上端縁が当接するフランジ１５とそれと平行なフランジ１６とが所定の間隔を置いて設けられ、これら一対のフランジ１５，１６の間は首部分１７となっており、その首部分１７には平行面が形成されている。すなわち、注出口１３には機械でハンドリングするために、水平な一対のフランジ１５，１６が設けられ、また向きを決めるためにそれらの間の首部分１７は矩形状になっており、これによって首部分１７には包装袋本体１２の上端縁と直角方向に平行面が形成されている。なお、図示はしていないが、キャップ１１としては、必要に応じて公知のピルファープルーフを付けたものを用いるようにしてもよい。
【００１５】
外箱２０は、図４に示すブランクＢから組み立てられる。このブランクＢは、板紙や段ボールシートなどの厚紙を打ち抜いたもので、図示のように、折線ａ，ｂ，ｃ，ｄを介して糊代片２１、側面パネル２２，２３，２４，２５を順次連設している。
【００１６】
ブランクＢにおける側面パネル２２の上辺には中程に切込み線αのある折線ｅを介して内蓋パネル２６を連設し、その内蓋パネルの上辺には折線ｆを介して差込み片２６ａを連設し、側面パネル２３の上辺には折線ｇを介して折曲げ片２７を連設し、側面パネル２４の上辺には折線ｈを介して外蓋パネル２８を連設し、その外蓋パネル２８の上辺の中程には折線ｉを介して差込み凸部２８ａを連設し、側面パネル２５の上辺には折線ｊを介して折曲げ片２９を連設している。そして、内蓋パネル２６と外蓋パネル２８にはそれらの中央にそれぞれ開口２６ｂ，２８ｂが形成されており、これらの開口２６ｂ，２８ｂは注出口１３のフランジ１５，１６より僅かに大きく、且つ、それぞれが差込み片２６ａと差込み凸部２８ａの方に丸く膨らんだ形状をしている。また、折曲げ片２７，２９の上端縁にはフランジ１５，１６の半分の形状をした切欠部２７ａ，２９ａが形成されている。
【００１７】
また、側面パネル２２の下辺には折線ｋを介して外折込み片３０を連設し、側面パネル２３の下辺には折線ｌを介して内折込み片３１を連設し、側面パネル２４の下辺には折線ｍを介して外折込み片３２を連設し、側面パネル２５の下辺には折線ｎを介して内折込み片３３を連設しており、外折込み片３０の一部の三角形部分を折線ｏで折り返せる糊代部分３０ａとし、外折込み片３２の一部の三角形部分を折線ｐで折り返せる糊代部分３２ａとしている。
【００１８】
なお、ブランクＢの素材としては、板紙や段ボールシートの他に、これらを主体として樹脂フィルムなどを組み合わせた複合シートなどを使用することができ、特に限定されるものではない。
【００１９】
ストッパー４０は、ブランクＢと同じ素材又は別のシート状物を打ち抜いたもので、図５に示すような形状をしている。このストッパー４０の横幅は内蓋パネル２６及び外蓋パネル２８とほぼ同じであり、縦方向の長さは内蓋パネル２６及び外蓋パネル２８とほぼ同じか少し短くなっている。そして、ストッパー４０には、図示のように、四角形の中心部４０ａとそれに繋がる末広状の導入部４０ｂとからなる切欠が形成されており、中心部４０ａは注出口１３の首部分１７が丁度嵌まるサイズになっている。
【００２０】
上記のブランクＢはサック貼りして供給される。すなわち、外折込み片３０を折線ｋで側面パネル２２の裏面側に折り返し、内折込み片３１を折線ｌで側面パネル２３の裏面側に折り返し、外折込み片３２を折線ｍで側面パネル２４の裏面側に折り返し、内折込み片３３を折線ｎで側面パネル２５の裏面側に折り返す。そして、その外折込み片３０の糊代部分３０ａを折線ｏで外側に折り返し、その外折込み片３２の糊代部分３２ａを折線ｐで外側に折り返す。
【００２１】
次に、側面パネル２２を折線ｂで側面パネル２３の裏面側に折り返し、側面パネル２５を折線ｄで側面パネル２４の裏面側に折り返し、糊代片２１と側面パネル２５の側縁部の裏面とを貼り合わせる。同時に、外折込み片３０の糊代部分３０ａと内折込み片３１とを貼り合わせ、外折込み片３２の糊代部分３２ａと内折込み片３３とを貼り合わせる。このようにしてブランクＢは折り畳まれてサック貼りした状態となり、この折り畳まれた状態で軟包装袋を収納する箱詰め工程へと供給される。
【００２２】
箱詰め工程では、折り畳まれた状態の外箱２０を起こすが、底部がオートロック式になっているので、起こすと同時に図２のように外箱２０は底部が自動的に形成される。このように底部が形成された外箱２０の中に軟包装袋１０を入れる。そして、注出口１３のフランジ１５，１６を切欠部２７ａ，２９ａが囲むようにして両側の折曲げ片２７，２９を内側に折り曲げた後、内蓋パネル２６を折り曲げる。この時、注出口１３のフランジ１５，１６が開口２６ｂを通るようにして内蓋パネル２６を折り曲げ、差込み片２６ａを側面パネル２４の裏側に差し込んで蓋をする。
【００２３】
次いで、内蓋パネル２６から露出しているフランジ１５，１６の間にストッパー４０を挿入する。この時の内蓋パネル２６とストッパー４０の位置関係を示すと図６のようである。続いて、外蓋パネル２８を折り曲げる。すなわち、注出口１３のフランジ１５，１６が開口２８ｂを通るようにして外蓋パネル２８を折り曲げ、その先端の差込み凸部２８ａを内蓋パネル２６の端縁にある切込み線αに差し込んで蓋をする。これにより図１に示す注出口付き液体容器Ａが完成する。このようにして外箱２０の中に軟包装袋１０を収納すると、ストッパー４０は外蓋パネル２８により回動が阻止され、そのストッパー４０により軟包装袋１０の注出口１３は回動が阻止された状態となる。
【００２４】
この注出口付き液体容器Ａは、軟包装袋１０が外箱２０の中に入っているので、立てた状態で置いておくことができ、軟包装袋１０に収納した内容物の液体が減少しても立てることができる。そして、注出口１３が外箱２０から突出して回動不能な状態で固定されており、キャップ１１を回した時に中の軟包装袋１０が同時に回転しないので、キャップ１１を確実に開閉することができる。
【００２５】
図７は本発明に係る注出口付き液体容器の別の例を示す斜視図であり、この注出口付き液体容器Ａ’は、外箱２０の側面パネル２４に中が見えるスリット２４ａを設けたものであり、その以外の構成は先に説明した注出口付き液体容器Ａと同じである。この注出口付き液体容器Ａ’では、使用して中の液体が減ってきたときに、スリット２４ａから中を見ることよってその残量を確認することができる。なお、スリット２４ａの形状は任意であるし、いずれの側面パネルに設けてもよい。要は軟包装袋１０の内容物の状態が見えるように設ければよいものである。
【００２６】
以上、本発明の実施の形態について詳細に説明してきたが、本発明による注出口付き液体容器は、上記実施の形態に何ら限定されるものではなく、本発明の趣旨を逸脱しない範囲において種々の変更が可能であることは言うまでもない。
【図面の簡単な説明】
【００２７】
【図１】本発明に係る注出口付き液体容器の一例を示す斜視図である。
【図２】図１に示す注出口付き液体容器の構成部材を別々に示す斜視図である。
【図３】軟包装袋の一部分を示す斜視図である。
【図４】外箱を形成するブランクの展開図である。
【図５】ストッパーの平面図である。
【図６】装着したストッパーの内蓋パネルとの位置関係を示す説明図である。
【図７】本発明に係る注出口付き液体容器の別の例を示す斜視図である。
【符号の説明】
【００２８】
Ａ，Ａ’  注出口付き液体容器
Ｂ  ブランク
ａ〜ｐ  折線
α  切込み線
１０  軟包装袋
１１  キャップ
１２  包装袋本体
１２ａ  シール部
１３  注出口
１４  取付板
１５，１６  フランジ
１７  首部分
２０  外箱
２１  糊代片
２２〜２５  側面パネル
２４ａ  スリット
２６  内蓋パネル
２６ａ  差込み片
２６ｂ  開口
２７  折曲げパネル
２７ａ  切欠部
２８  外蓋パネル
２８ａ  差込み凸部
２８ｂ  開口
２９  折曲げ片
２９ａ  切欠部
３０  外折込み片
３０ａ  糊代部分
３１  内折込み片
３２  外折込み片
３２ａ  糊代部分
３３  内折込み片
４０  ストッパー
４０ａ  中心部
４０ｂ  導入部
【図１】
0004775008.tif 000002
【図２】
0004775008.tif 000003
【図３】
0004775008.tif 000004
【図４】
0004775008.tif 000005
【図５】
0004775008.tif 000006
【図６】
0004775008.tif 000007
【図７】
0004775008.tif 000008